Podtech/llm-jp-corpus-v4-ja_patent huggingface dataset:
(57)【要約】      （修正有）【課題】農作物などの盗難に対して犯罪抑止効果の見込まれる農業用ネットを提供する。【解決手段】ネット１の複数の箇所に反射材２を配置する。このネットを設置することで、夜間、周囲の照明や犯人が使う懐中電灯などの部分照明器具の光があちらこちらで不規則に光ることとなり、心理的影響から犯罪を未然に防ぐ効果が見込まれる。【選択図】図１
0003194217.tif 000002
【実用新案登録請求の範囲】
【請求項１】
ところどころに反射材を配置した農業用ネット
【考案の詳細な説明】
【技術分野】
【０００１】  本考案は、ところどころに反射材を配置した農業用ネットに関するものである。
【背景技術】
【０００２】  人や動物の侵入の防止などを目的として農業用ネットが使用されているが、せっかく育てた果実や野菜等、農作物の盗難被害が後を絶たない状況にある。
【考案の概要】
【考案が解決しようとする課題】
【０００３】  盗難が起こるのは、人目に付きにくい夜間が多い。そこで、犯罪抑止力を上げることを目的とした、農業用ネットを考案する。
【課題を解決するための手段】
【０００４】  ネットのところどころに反射材を配置する。このネットを設置することで、夜間、周囲の照明や犯人が使う懐中電灯などの部分照明器具の光が反射して光ることとなる。
反射材の大きさ、形状、配置密度、固定方法などは問わない。
【考案の効果】
【０００５】  周囲の照明や、犯人が使用する部分照明器具などの光が、あちらこちらで不規則にキラキラと輝き、その現象によって犯罪の抑止力を高めることにつながる。
犯人を検知できる防犯システムはコストがかかり、果樹園や畑全体に網羅することは現実的に困難であるが、本考案の農業用ネットとの併用で、より防犯効果が高まると考えられる。
【図面の簡単な説明】
【０００６】
【図１】全体の概要図面（一例）である。
【図２】反射材の取り付け事例を表したものである。
【考案を実施するための形態】
【０００７】  ネットのところどころに反射材を配置する。ネットに固定したり、反射材が風などで自由に動く機構など、いろいろな取り付け方がある。
反射材の大きさ、形状、配置密度、固定方法などはこの考案で問うものではない。
【符号の説明】
【０００８】  １  ネット
２  反射材
【図１】
0003194217.tif 000003
【図２】
0003194217.tif 000004
【手続補正書】
【提出日】平成26年8月20日(2014.8.20)
【手続補正１】
【補正対象書類名】実用新案登録請求の範囲
【補正対象項目名】全文
【補正方法】変更
【補正の内容】
【実用新案登録請求の範囲】
【請求項１】
ネットの複数の箇所に反射材を配置した農業用ネット。
(57)【要約】      （修正有）【課題】緊急時の音出しが俊敏にできる自転車用振動ベルを提供する。【解決手段】台座を介して自転車に固定される自転車用振動ベルであって、音出しカバー３の内部に１または複数の筒２が設けられ、前記筒２内部に重り１が、移動可能に侵入されるこことを特徴とする。【選択図】図１
0003194213.tif 000002
【実用新案登録請求の範囲】
【請求項１】
ハンドルから手を離さず自転車本体の揺れでベルより音が出る。
【考案の詳細な説明】
【考案の詳細な説明】
【産業上の利用分布】
【０００１】緊急時の音出しが俊敏にできる。
【背景技術】
【０００２】ハンドルから手を離す動。
【考案が解決しようとする課題】
【０００３】咄嗟時のベル音出しができる。
【課題を解決しようとする手段】
【０００４】緊急時の音出し。
【作用】
【０００５】自転車の動きの動作。
【実施例】
【０００６】咄嗟の音出し。
【考案の効果】
【０００７】危険時の退避。
【図面の簡単な説明】
【０００８】
【図１】平面図
【図２】断面図
【図３】断面図
【符号の説明】
【０００９】１  ……  重り
２  ……  筒
３  ……  音出しカバー
４  ……  台座
【図１】
0003194213.tif 000003
【図２】
0003194213.tif 000004
【図３】
0003194213.tif 000005
【手続補正書】
【提出日】平成26年8月21日(2014.8.21)
【手続補正１】
【補正対象書類名】実用新案登録請求の範囲
【補正対象項目名】全文
【補正方法】変更
【補正の内容】
【実用新案登録請求の範囲】
【請求項１】
台座（４）を介して自転車に固定される自転車用振動ベルであって、音出しカバー（３）の内部に１または複数の筒（２）が設けられ、前記筒（２）内部に重り（１）が、移動可能に侵入されるこことを特徴とする、自転車用振動ベル。
(57)【要約】      （修正有）【課題】比較的大きな押圧力で背中の痛みを感じる部分をピンポイントで滑らかにマッサージできる背部マッサージ器具を提供する。【解決手段】背部マッサージ器具１０は、両端が把持され、一直線上に延びる棒２の中央部分に回転自在に設けられた板状体を有し、その厚さが５ｍｍ〜２０ｍｍに形成された押当部１を備える。【選択図】図１
0003194236.tif 000002
【実用新案登録請求の範囲】
【請求項１】
両端側が把持され、一直線上に延びる伸縮自在の棒と、棒の中央部分に回転自在に設けられた板状体であり、その厚さが５ｍｍ〜２０ｍｍに形成された押当部を有する背部マッサージ器具。
【考案の詳細な説明】
【技術分野】
【０００１】本考案は押当部を背中に押し当てて、マッサージするための背部マッサージ器具に関するものである。
【背景技術】
【０００２】背中は自分自身の手で押圧することはできない。【０００３】例えば特許文献１においては、押当部が棒に固定されていることと、棒がくの字形状に曲っていることによって、背中の痛みを感じる部分を適切な押圧力で、滑らかにマッサージできない。
【先行技術文献】
【特許文献】
【０００４】
【特許文献１】特開２００３−３３４２１号公報
【考案の概要】
【考案が解決しようとする課題】
【０００５】  従来の背部マッサージ器具では把持する両手と押当部が一直線上に位置しないため、両手の極く、微細な動作では、押当部に大きな押圧力を発生させることができない。押当部は軸に固定されているので、滑らかに、マッサージすることができない。
本考案により、比較的大きな押圧力で、背中の痛みを感じる部分をピンポイントで滑らかにマッサージできる背部マッサージ器具が提供される。
【課題を解決するための手段】
【０００６】  両端が把持され、一直線上に延びる棒と棒の中央部分に、回転自在に設けられた板状体であり、その厚さが５ｍｍ〜２０ｍｍに形成された押当部を備える背部マッサージ器具。
【考案の効果】
【０００７】  上述の背部マッサージ器具により、比較的大きな押圧力で背中の痛みを感じる狭小な部分をピンポイントで滑らかにマッサージできる。
【図面の簡単な説明】
【０００８】
【図１】背部マッサージ器具の斜視図である。
【図２】背部マッサージ器具の要部を説明する図である。
【図３】背部マッサージ器具の使用状態を表わす図である。
【考案を実施するための形態】
【０００９】  両端が把持され、一直線上に延びる棒２と棒２の中央部分に、回転自在に設けられた板状体であり、その厚さが５ｍｍ〜２０ｍｍに形成された押当部１と棒２上において押当部１の両側面側に設けられた一対のストッパー３とを備える背部マッサージ器具１０の押当部１の側縁を背中に接するように、押し当てて、棒２の両端を把持した両手の動作で側縁による押圧力を加減してマッサージする。棒２を伸縮自在にすることにより把持する手の位置は一層多様になり、側縁による押圧力も様々に変化可能となり多くのマッサージ効果が得られる。
ストッパー３は押当部１が棒２上において所定位置（例えば中央）からズレるのを防止する。
【００１０】  背部マッサージ器具１０の押当部１が背部に接するのは押当部１の側縁部分で、その厚さは５ｍｍ〜２０ｍｍで狭小であり、両端を把持する両手に対し梃子の支点の位置に相当するので、両手の微小な動作で大きな押圧力が発生し、背部の狭小な部分を限定して大きな押当力でマッサージできる。
板状体が回転自在のため、押当部側縁も回転し、滑らかに移動しながらマッサージするので、一個所に過度の押圧力が加わるのを防止できる。背部マッサージ器具１０の操作において、両手は自身の後面の位置で動作するので、この動作に係わる筋肉や関節の柔軟度や可動域の向上に寄与する。
【符号の説明】
【００１１】１、押当部
２、棒
３、ストッパー
４、背部マッサージ器具
【図１】
0003194236.tif 000003
【図２】
0003194236.tif 000004
【図３】
0003194236.tif 000005
(57)【要約】      （修正有）【課題】箒の支持棒にシヨルダーバンドを装着したシヨルダーバンド付き箒を提供する。【解決手段】支持棒３と支持棒３に対して曲折して穂先基部２又は穂先基部２及び穂先１が設けられた箒の支持棒３にハンドル握部５を有するハンドル４と、前記支持棒２に設けられたハンドル４の後部にベルトフック７を取り付けるための回転ベルトリング８と、さらに前記支持棒３の後部に調整オモリ６を設け、該回転ベルトリング８のベルトフック７にシヨルダーバンド９を装着したことを特徴とするシヨルダーバンド付箒。【選択図】図１
0003194083.tif 000002
【実用新案登録請求の範囲】
【請求項１】
支持棒と支持棒に対して曲折して穂先基部又は穂先基部及び穂先が設けられた箒の支持棒にハンドル握り部を有するハンドルと、前記支持棒に設けられたハンドルの後部にベルトフックを取り付けるための回転ベルトリングと、さらに前記支持棒の後部に調整オモリを設け、該回転ベルトリングのベルトフックにシヨルダーバンドを装着したことを特徴とするシヨルダーバンド付き箒。
【考案の詳細な説明】
【技術分野】
【０００１】  本考案はシヨルダーバンドとハンドルを支持棒に装着し支持棒の後部に調整オモリを装着した箒に関するものである。
【背景技術】
【０００２】  従来シヨルダーバンド及び、ハンドル、調整オモリを装着した箒は無かった。
【考案の開示】
【考案が解決しようとする課題】
【０００３】［イ］従来、箒は両手で使用するので大変に被労して長時間の使用は困難であった。
［ロ］又、支持棒が棒杖のために力が入らずハードに掃き掃除ができない大きな欠点があった。
【課題を解決するための手段】
【０００４】  支持棒と支持棒に対して曲折して穂先基部又は穂先基部及び穂先が設けられた箒の支持棒にハンドル握り部を有するハンドルと、前記支持棒に設けられたハンドルの後部にベルトフックを取り付けるための回転ベルトリングと、さらに前記支持棒の後部に調整オモリを設け、該回転ベルトリングのベルトフックにシヨルダーバンド
【考案の効果】
【０００５】  シヨルダーバンド及びハンドル、支持棒のバランスの調整もできるオモリも装着しているので従来のように両手で掃くのではなく腰を使って身体全体で掃くので長時間の作業も苦にならず、ハードに掃き掃除ができる。
【考案を実施するための最良の形態】
【０００６】  以下、本考案の実施について説明する。
（イ）支持棒（３）と穂先基部（２）と穂先（１）からなる箒にハンドル（４）調整オモリ（６）とシヨルダーバンド（９）回転リング（８）ベルトフック（７）ハンドル握部（５）を装着する。
本考案は以上のような構成でこれを使う時はシヨルダーバンド（９）を肩に掛け両手でハンドル（４）の握部（５）握り腰と身体全体を使って使用する。
【図面の簡単な説明】
【０００７】
【図１】本考案の斜視図
【図２】本考案の使用図
【符号の説明】
【０００８】  １  穂先
２  穂先基部
３  支持棒
４  ハンドル
５  ハンドル握部
６  調整オモリ
７  ベルトフック
８  回転ベルトリング
９  シヨルダーバンド
１０  調整ベルトタックル
【図１】
0003194083.tif 000003
【図２】
0003194083.tif 000004
(57)【要約】      （修正有）【課題】小さく薄手のため、かさばらず、使い勝手のよい場所に自由に設置することができるスポンジ用フックを提供する。【解決手段】着脱可能なテープのフック状の方を用い、フックの突起部１ａの特性を活かして、スポンジ２の荒い網目２ａと絡ませ止着させる事を特徴とするスポンジ用フックである。【選択図】図２
0003194090.tif 000002
【実用新案登録請求の範囲】
【請求項１】
着脱可能なテープのフック（１）状の方を、フックの突起部（１ａ）とスポンジ（２）の荒い網目（２ａ）と絡ませ止着させることができることを特徴としたスポンジ用フック。
【考案の詳細な説明】
【技術分野】
【０００１】  この考案は、キッチンや浴室等の洗具用スポンジ類を止着することに関するものである。
【背景技術】
【０００２】  従来、食器洗いスポンジ類を片付けるとき、固定するためにがさばるラックを突起物に掛けてスポンジ類を収める吸盤で固定するラックに収める直接地下に置くものであった。
【先行技術文献】
【特許文献】
【０００３】
【特許文献１】  特開    ２００６−３１２００３  広報
【特許文献２】  特開平  ０９−１７３２７４  広報
【特許文献３】  特開平  ０８−１０９９１６  広報
【考案概要】
【考案が解決しようとする課題】
【０００４】  食器洗いスポンジ類を片付けるとき、固定するためにがさばるラックを、突起物に掛けてスポンジ類を収める、吸盤で固定するラックに収める、直接地下に置くものである。
そのため、次のような問題点があった。
（イ）食器を洗うスポンジ類を収めるためのラックが、がさばり、洗い場に突き出ている    ため、洗い作業に支障が出る。
（ロ）吸盤で固定するラックは、時間がたつと滑り外れやすい。
（ハ）スポンジ類を収めるラックは、設置場所の範囲が狭まれる。
本考案は、これらの欠点を解決するためになされたものである。
【課題を解決するための手段】
【０００５】  着脱可能なテープのフック（１）状の方を、フックの突起（１ａ）とスポンジ（２）の荒い網目（２ａ）と絡ませ止着させるものである。
以上を特徴とするスポンジ用フックである。
【考案の効果】
【０００６】（イ）本考案は、薄手であるため、洗い場に突き出さず洗い作業に支障がない。
（ロ）本考案は、接着で固定するため、滑り外れることがない。
（ハ）本考案は、小さく薄手のため、がさばらず使い勝手のよい場所に自由に設置するこ    とができる。
【図面の簡単な説明】
【０００７】
【図１】  本考案の斜視図。
【図２】  本考案とスポンジが止着状態を示す拡大図。
【図３】  本考案の使用状態を示す斜視図。
【考案を実施するための形態】
【０００８】以下、本考案の実施の形態について説明する。
図２に示す、本考案の拡大図で、フック（１）の突起部（１ａ）が、図２に示すスポンジ（２）の荒い網目（２ａ）と絡み止着されることで構成されているものである。
フック（１）の素材は容易にカット加工が可能である。
なお、スポンジ（２）以外の素材でも、フック（１）の突起部（１ａ）と絡むものであれば可能である。
【符号の説明】
【０００９】      １    フック
１ａ  フックの拡大部
２    スポンジ
２ａ  スポンジの拡大部
【図１】
0003194090.tif 000003
【図２】
0003194090.tif 000004
【図３】
0003194090.tif 000005
(57)【要約】      （修正有）【課題】簡単に持ち運ぶことができる墓を提供する。【解決手段】遺骨を入れるための引き出し５とミニチュア墓標６を取り付けるための空間部及び防水の為の屋根２を有し、躯体全体の取っ手１を有することを特徴とする。取っ手を持って、容易に遺骨や墓標を一体的に手軽に持ち運ぶことができる。そのため適宜自宅屋内のみならず屋外などの都合の良いところに設置でき、転勤等により居所と従来の墓所が遠くなった場合でも遠い墓所まで行かずとも墓参ができる。【選択図】図２
0003194087.tif 000002
【実用新案登録請求の範囲】
【請求項１】
遺骨を入れるための引き出しとミニチュアの墓標を取り付けるための空間部及び防水の為の屋根を有し、躯体全体の取っ手を有することを特徴とする墓。
【請求項２】
前記引き出しの内部に間仕切りを配したことを特長とする請求項１の墓。
【考案の詳細な説明】
【技術分野】
【０００１】  本考案は、持ち運び可能な墓に関する。
【背景技術】
【０００２】  墓は容易に持ち運べないほど大きく、また遺骨入れとしての容器（骨壺等）とは分離されているのが通常である。
【考案の概要】
【考案が解決しようとする課題】
【０００３】  しかしながら、以上の技術によれば、通常は墓参するには自宅から遠い墓所まで出かける必要がある難点があった。
そこで、この考案は、携帯持ち運び可能であり且つ屋内屋外に設置可能な墓を提供することを課題とする。
【課題を解決するための手段】
【０００４】  本考案は以下の特徴を有する。遺骨を入れるための引き出しとミニチュアの墓標を取り付けるための空間部及び防水の為の屋根を有し、躯体全体の取っ手を有することを特徴とする墓。
また前記引き出しの内部に間仕切りを配したことを特徴とする墓。
【考案の効果】
【０００５】  遺骨を入れる引き出しとミニチュア墓標がワンセットになっていて躯体全体を持ち運ぶための取っ手がついているため、手軽に墓全体を持ち運ぶことができる。
【図面の簡単な説明】
【０００６】
【図１】  この考案の一実施形態を示す斜視図であり躯体前面の扉および引き出しは閉まった状態を表した図である。
【図２】  前面の壁面と扉を取り払い、ミニチュアの墓標が内部空間部に取り付けられた状態を表す正面図である。
【図３】  躯体の上部屋根部と前面壁面（扉を含む）を取り払った状態の斜視図であり、躯体内部空間にミニチュア墓標が取り付けられている状態を表した図である。
【図４】  ミニチュア墓標及びそれを格納する空間の床面板に存するボルトを通すための穴を表した正面図である（内部の穴を点線表示）。
【図５】  引き出し内部に間仕切りを配した状態を表す引き出しの斜視図である。
【考案を実施するための形態】
【０００７】  本考案を図面を用いて説明する。図１は、全体の概要を把握できる斜視図である。本考案を移動するときは躯体全体の取っ手１を持って移動できる。
躯体内部様子を図３で示す。扉を開けるとミニチュア墓標６が見えるので、その墓標を見ながら拝礼できる。ミニチュア墓標６がミニチュア墓標格納部床面７と結合されるための穴を図４で示す。ミニチュア墓標６は墓標内部のボルト穴と墓標格納部床面の穴にボルトを通すことにより躯体本体と結合される。ボルト穴を複数とすることでミニチュア墓標６が回転せず固定されることとなる。図５のように引き出し内に間仕切りを配せば多人数の遺骨を混ざらずに収めることができる。
【符号の説明】
【０００８】１    躯体全体の取っ手
２    躯体屋根部
３    躯体壁面
４    扉
５    引き出し
６    ミニチュア墓標
７    ミニチュア墓標格納部床面
８    ミニチュア墓標ボルト穴
９    ミニチュア墓標格納部床面ボルト穴
１０  引き出し間仕切り
【図１】
0003194087.tif 000003
【図２】
0003194087.tif 000004
【図３】
0003194087.tif 000005
【図４】
0003194087.tif 000006
【図５】
0003194087.tif 000007
(57)【要約】      （修正有）【課題】塵芥車の塵芥投入箱を降下させる時に、人が、塵芥収容箱と、塵芥投入箱との間に挟まることがない様に、安全を確認するための塵芥車の塵芥投入箱降下時安全確認装置を提供する。【解決手段】塵芥車１の塵芥収容箱２の後部上端部と、後部上端部に軸支された塵芥投入箱３との間で、軸支された近傍に、カメラ５を取り付け、塵芥車１の運転席４に、このカメラ５の撮影画像を受信するモニター６を装着する。【選択図】図１
0003194088.tif 000002
【実用新案登録請求の範囲】
【請求項１】
塵芥車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥車において、前記塵芥車の塵芥収容箱の後部上端部と、該後部上端部に軸支された該塵芥投入箱との間で、軸支された近傍に、カメラを取り付け、前記塵芥車の運転席に、前記カメラの撮影画像を受信するモニターを装着したことを特徴とする塵芥車の塵芥投入箱降下時安全確認装置。
【考案の詳細な説明】
【技術分野】
【０００１】  本考案は、塵芥車の塵芥投入箱を降下させる時に、人が、塵芥収容箱と、該塵芥投入箱との間に挟まることがない様に、安全を確認するための装置に関する。
【背景技術】
【０００２】  従来は、塵芥車の塵芥投入箱を降下させる時に、人が、塵芥収容箱と、該塵芥投入箱との間に挟まることがない様に、安全を確認するための有効な装置がなかった。通常は、塵芥車は運転席に操作装置を備えているため、該塵芥投入箱を降下させる操作人からは、安全を確認すべき範囲が死角となり、操作人が大声で、該塵芥投入箱を降下させることを伝えて、該塵芥投入箱を降下させていた。
【考案の概要】
【考案が解決しようとする課題】
【０００３】  しかしながら、大声による安全の確認は、注意を喚起すべき相手に聞こえているか否かがわからず、現実に、死亡事故も発生している。このことから、本考案は、塵芥車の塵芥投入箱を降下させる時に、人が、塵芥収容箱と、該塵芥投入箱との間に挟まることがない様に、安全を確認するための装置を提供することを目的とする。
【課題を解決するための手段】
【０００４】  以上の課題を解決するために、本考案は、塵芥車の運転席後方の荷台上に設けられ、収容箱駆動装置により傾動駆動され、後部を開口した塵芥収容箱と、該塵芥収容箱と連通し、該塵芥収容箱の後部上端側に軸支され、投入箱駆動装置により回動駆動される塵芥投入箱と、該塵芥投入箱内に投入された塵芥を前記塵芥収容箱に積み込む積込装置とを備える塵芥車において、前記塵芥車の塵芥収容箱の後部上端部と、該後部上端部に軸支された該塵芥投入箱との間で、軸支された近傍に、カメラを取り付け、前記塵芥車の運転席に、前記カメラの撮影画像を受信するモニターを装着する。
【考案の効果】
【０００５】  本考案によれば、塵芥車の塵芥投入箱を降下させる操作人が、塵芥収容箱と該塵芥投入箱の間に人がいないことを、運転席内のモニターを見ることにより、操作人の目で確認することができるので、安全に該塵芥投入箱を降下させることができる。
【図面の簡単な説明】
【０００６】
【図１】本考案の一実施形態を示す塵芥車の概略側面図である。
【考案を実施するための形態】
【０００７】  本考案に係る一実施形態を、図１を参照して以下説明する。
図１に示す本考案の実施の形態に係る塵芥車１は、運転席後方の荷台上に設けられ、収容箱駆動装置により傾動駆動され、後部を開口した塵芥収容箱２と、該塵芥収容箱２と連通し、該塵芥収容箱２の後部上端側に軸支され、投入箱駆動装置により回動駆動される塵芥投入箱３と、該塵芥投入箱３内に投入された塵芥を前記塵芥収容箱２に積み込む積込装置とを備えている。
図中、４は運転席を示す。また、Ａはカメラ５の撮影範囲を示す。
【０００８】  本実施の形態においては、塵芥車１の塵芥収容箱２の後部上端部と、この後部上端部に軸支された塵芥投入箱３との間で、カメラ５を前記後部上端部の中央に取り付ける。さらに、この塵芥車１の運転席４に、このカメラ５の撮影画像を受信するモニター６を装着する。
【実施例の効果】
【０００９】  以上の構成の安全確認装置は、次のような動作を行う。
塵芥車１の操作人が、運転席４にある操作装置により塵芥投入箱３を降下させる時に、従来は、塵芥収容箱２と塵芥投入箱３との間が死角となり、大声による不確実な安全確認の方法しかなかったが、この安全装置により、この死角の範囲をカメラ５が撮影し、モニター６がカメラ５の撮影画像を映し出す。これにより、操作人が、運転席内のモニター６を見ることにより、操作人の目で安全を確認して、塵芥投入箱３を降下させることができる塵芥車の塵芥投入箱降下時安全確認装置とした。
【産業上の利用可能性】
【００１０】  尚、本考案は上記実施形態に限定されるものでなく、例えば、塵芥車１は、回転板積込方式の塵芥車を使用したが、プレス積込方式の塵芥車にも同様に適用できる。カメラ５とモニター６は、無線方式を使用したが、有線方式でもよく、カメラ５の取付位置を塵芥収容箱２の後部上端部の中央に取り付けたが、死角範囲が撮影できるなら、他の位置に取り付けてもよい。
【符号の説明】
【００１１】  １  塵芥車
２  塵芥収容箱
３  塵芥投入箱
４  運転席
５  カメラ
６  モニター
Ａ  カメラ５の撮影範囲
【図１】
0003194088.tif 000003
(57)【要約】      （修正有）【課題】学習プリントを、速く正確に採点することのできるマークシート付きプリントと画像でマークを読みとるマーク読取り機を提供する。【解決手段】学習用の問題プリントに、解答の選択肢を設け、その選択肢毎にマークできるスペース１を設け、その、マークされた位置の正誤を読み取る読みとり機で構成される。【選択図】図１
0003194084.tif 000002
【実用新案登録請求の範囲】
【請求項１】
学習用の問題プリントに、解答の選択肢毎にマークできるスペースを設け、正しいと思う選択肢にマークできることを特徴とするマークシート付きプリントと画像でマークを読みとるマーク読取り機
【請求項２】
正しい位置にマークされたプリント画像と、解答者のプリントのマーク位置を照らし合わせ、正誤を判断し、点数をつけることを特徴とするマークシート付きプリントと画像でマークを読み取るマーク読取り機。
【考案の詳細な説明】
【技術分野】
【０００１】  本考案は、計算や漢字プリント等、練習をした後正誤を素早く採点し，効率的に定着をはかるために、前記プリントにマークシートを付けたプリントと、マーク読取り機に関するものである。
【背景技術】
【０００２】  学校では学習内容の定着のため練習プリントを朝の学習時間、授業の初め等に実施することが多い。時間を計って多くのプリントを意欲的に取り組ませることが多いが、プリントが大量であればあるほど、細かく採点できず一括の丸をつけて返し、児童生徒の力を正確に把握することが物理的に難しかった。
【考案の概要】
【考案が解決しようとする課題】
【０００３】  どんなに大量であっても速く正確に採点できるプリントと採点機を提供する。
【課題を解決するための手段】
【０００４】  学習内容の定着をはかる練習プリントにマークする場所を設け、前記マークを読み取るマーク読取り機を設置する。
【考案の効果】
【０００５】  児童生徒の取り組んだ学習プリントを速く正確に採点することにより、教師は児童生徒の定着率をより正確に把握でき、児童生徒も自分の定着率が認識しやすいので、より意欲的に取り組め、学習効果を上げることができる。
また、教師の激務を少しでも軽減させ、余裕を持った指導につなげることができる。結果教師が余裕を持っていないと、児童生徒も落ち着かなくなる。という現象を軽減させる。
【図面の簡単な説明】
【０００６】
【図１】マークシート付きプリント
【図２】マーク読みとり機
【考案を実施するための形態】
【０００７】  従来のマークシート問題は、解答を別のシート状になったものに、選択した解答をマークしていく方法であったが、本考案では、問題の中にマークシートが組み込まれていて、一問、一問そのプリント上でマークしていくことができるので、まず、プリントの問題ごとに解答の選択肢とマークしていく場所を設ける。
【０００８】  マーク読みとり機で、全問が正しい解答のところにマークされたプリントを、予め画像としてとっておく。
【０００９】  次にマーク読取り機で、上記の予め画像としてとっておいた正しい解答の画像のマーク位置と解答者のプリントのマーク位置を比べて、正誤の判断をし、点数をつける。
【符号の説明】
【００１０】１  練習プリントに、解答の選択肢をつくり、選択肢毎にマークできるようにしたもの
２  マーク読みとり機本体
３  解答済みプリント入れ口
４  マークによる採点済みプリント出口
５  答えの画像を撮影する台（蓋と台の間に挟みこむ）
【図１】
0003194084.tif 000003
【図２】
0003194084.tif 000004
(57)【要約】      （修正有）【課題】超音波プローブ練習器具は、医療用超音波診断装置のプローブの使い方を病院外でも手軽に練習することができる。【解決手段】超音波プローブ練習器具１は、医療用超音波診断装置が備えるプローブの使用方法を練習するための器具である超音波プローブ練習器具であって、医療用超音波診断装置のプローブを模した外形形状４を成し、医療用超音波診断装置のプローブと同程度の重さであり、材質が、透明又は半透明の合成樹脂であることを特徴とする。【選択図】図１
0003194044.tif 000002
【実用新案登録請求の範囲】
【請求項１】
医療用超音波診断装置が備えるプローブの使用方法を練習するための器具である超音波プローブ練習器具であって、
前記医療用超音波診断装置のプローブを模した外形形状を成し、
前記医療用超音波診断装置のプローブと同程度の重さであり、
材質が、透明又は半透明の合成樹脂であることを特徴とする超音波プローブ練習器具。
【請求項２】
前記プローブに連結されるケーブルを模した紐状部材を備えることを特徴とする請求項１に記載の超音波プローブ練習器具。
【考案の詳細な説明】
【技術分野】
【０００１】
医療用超音波診断装置が備えるプローブの練習器具の技術に関する。
【背景技術】
【０００２】
医療現場においては、超音波を対象物に当ててその反響を映像化し、その映像化したものをみた医師によって対象物の状態を診断することが良く行われ、この一連の処理を行う装置を（医療用）超音波診断装置という。
【０００３】
超音波診断装置の原理は、超音波を発生させるプローブ（探触子）を対象物付近に当てて、対象物から反射される超音波を受信すると共に、超音波の送信から受信までの時間に基づき発信源との距離を算出し、内部の様子を可視化する。
【考案の概要】
【考案が解決しようとする課題】
【０００４】
従来、プローブの操作如何で診断画像の良し悪し及び画像診断の結果を左右するにも関わらず、医療用超音波診断装置は高価であるため病院所有である場合が多く、操作者がプローブの使い方を院外で練習し操作技術を向上させる機会が少ないという問題点があった。
そこで本考案では、医療用超音波診断装置のプローブの使い方を病院外でも手軽に練習するための超音波プローブ練習器具を提供することを目的とする。
【課題を解決するための手段】
【０００５】
開示する超音波プローブ練習器具の一形態は、医療用超音波診断装置が備えるプローブの使用方法を練習するための器具である超音波プローブ練習器具であって、前記医療用超音波診断装置のプローブを模した外形形状を成し、前記医療用超音波診断装置のプローブと同程度の重さであり、材質が、透明又は半透明の合成樹脂であることを特徴とする。
【考案の効果】
【０００６】
開示する超音波プローブ練習器具は、医療用超音波診断装置のプローブの使い方を病院外でも手軽に練習することができる。
【図面の簡単な説明】
【０００７】
【図１】本実施の形態に係る超音波プローブ練習器具の外形形状を示す図である。（ａ）側面図、（ｂ）平面図。
【図２】一般的な医療用超音波診断装置を使用した診察形態を示す図である。
【考案を実施するための形態】
【０００８】
図面を参照しながら、本考案を実施するための形態について説明する。
（本実施の形態に係る超音波プローブ練習器具の構造）
【０００９】
図１及び２を用いて、本実施の形態に係る超音波プローブ練習器具（以下、単に「練習具」という。）１の構造について説明する。図１は、練習具１の外形形状の概要を説明するための図である。
【００１０】
図１で示すように、練習具１は、医療用超音波診断装置１０が備えるプローブ（探触子）１２の操作の練習を行うための器具であり、練習器具本体２、紐状部材６を有する。
【００１１】
図２で示すように、医療用超音波診断装置１０は、医療現場において使用される装置（システム）であって、プローブ１２の他、対象物を可視化した映像を表示するモニター装置を含む。医療用超音波診断装置１０は、プローブ１２にて発生させた超音波を対象物付近に当てて、対象物から反射される超音波を受信すると共に、超音波の送信から受信までの時間に基づき発信源との距離を算出し、対象物内部の様子を可視化する。プローブ１２は、リニア型、コンベックス型、セクタ型、シングル型等種々の形態があり、観察する対象物や対象部位などに応じ適切な特性を備えたプローブが選択、使用される。
【００１２】
練習器具本体２は、プローブ１２の外形形状を模した（プローブ１２の外形形状に似た）外形形状を成す。つまり、練習器具本体２の外形形状は、プローブ１２の外形形状と略同一であり、リニア型、コンベックス型、セクタ型、シングル型等何れのプローブ形状を模したものであっても良い。こうすることによって、操作者は練習具１の利用によって、プローブ１２の持ち方（握り方）、対象物へのプローブ１２の当て方等のプローブ１２の使用方法について習熟度を向上させることができる。
【００１３】
練習器具本体２は、（形状を問わない）プローブ１２の重さと同程度の重さである。こうすることによって、操作者は練習具１の利用によって、プローブ１２の操作感覚を得ることができ、プローブ１２の使用方法について習熟度を向上させることができる。
【００１４】
練習器具本体２は、透明又は半透明の合成樹脂（プラスチック）を材料とする。つまり、練習器具本体２は、練習器具本体２の一方側から練習器具本体２を通して他方側を見ることができるようになっている。こうすることによって操作者は、練習器具本体２が備える超音波出力部を模した部位４を模擬対象物に当てたとき、練習器具本体２を通して部位４の模擬対象物への当たり方を知る（見る）ことができる。それによって操作者は、プローブ１２の対象物への適切な当て方を知り、プローブ１２の使用方法について習熟度を向上させることができる。
【００１５】
紐状部材６は、部位４の反対側の位置に配置される、プローブ１２に連結されるケーブルを模した部材である。ここで、プローブ１２に連結されるケーブルとは、医療用超音波診断装置１０のモニター装置を含む本体側とプローブ１２とを繋ぎ、プローブ１２で取得された情報を本体側へ送信するためのケーブルである。紐状部材６は、材質は特に限定しないが、例えばシリコン製の部材であって、長さが２メートル、直径が７〜１０ミリメートルほどであることが好適である。こうすることによって、操作者は練習具１の利用によって、プローブ１２の操作感覚を得ることができ、プローブ１２の使用方法について習熟度を向上させることができる。
【００１６】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００１７】
１    超音波プローブ練習器具
２    練習器具本体
４    超音波出力部を模した部位
６    紐状部材
１０  医療用超音波診断装置
１２  医療用超音波診断装置が備えるプローブ
【図１】
0003194044.tif 000003
【図２】
0003194044.tif 000004
(57)【要約】      （修正有）【課題】足のかかとの皮膚が擦れるという問題を生ずることなく、靴内においてずれが生ずることのないようにした浅履き靴下を提供する。【解決手段】浅履き靴下１のかかと部１ｂ外面には人の足首５に取り外し自在に環装する環状部材７を取り付ける。環状部材７は帯状体の略中央部をかかと部１ｂ外面に固定し、帯状体の各端を面ファスナーにより分離自在に連結してなる。環状部材７の前部７ａには装飾物１３を取り付ける。【選択図】図１
0003194010.tif 000002
【実用新案登録請求の範囲】
【請求項１】
浅履き靴下のかかと部外面には人の足首に取り外し自在に環装する環状部材を取り付けたことを特徴とする浅履き靴下。
【請求項２】
前記環状部材は帯状体の略中央部を前記かかと部外面に固定し、該帯状体の各端を面ファスナーにより分離自在に連結してなることを特徴とする請求項１に記載の浅履き靴下。
【請求項３】
前記環状部材の前部には装飾物を取り付けたことを特徴とする請求項１又は２に記載の浅履き靴下。 
【考案の詳細な説明】
【技術分野】
【０００１】
本考案は、浅履き靴下に関するものであり、特に、浅履き靴下を着用した状態で靴を履用したときに、浅履き靴下のかかと部が靴内でつま先方向にずれて足のかかとが靴内で露出することのないようにした浅履き靴下に係るものである。
【０００２】
本出願において「浅履き靴下」とは、靴下を着用した状態で短靴を履用したときに、靴下の上縁が該短靴より上方に露出しないように浅船状に形成された靴下をいうものとする。すなわち、浅履き靴下は、これを着用した状態で短靴を履用しても、他人からは該浅履き靴下が見えないため、あたかも素足で短靴を履用しているかの如く見えるようにしたものである。なお、浅履き靴下は、女性のみならず、男性にも使用されている。
【背景技術】
【０００３】
夏等の暑い日にストッキングないし長い靴下を着用した状態でパンプス、スニーカー等の短靴を履用したときには、汗や蒸れ等により不快感を感ずることがあり、他方、素足でパンプス、スニーカー等の短靴を履用したときには該短靴の内面が直接足に接触するため靴擦れその他の不快感を生ずることがある。そこで、浅履き靴下が従来より使用されている。
【０００４】
しかるに、このような浅履き靴下は、前述の如く浅船状に形成されているため、浅履き靴下を着用した状態で靴を履用したときに、浅履き靴下のかかと部が靴内でつま先方向にずれて足のかかとが靴内で露出するおそれがある。
【０００５】
このような浅履き靴下のずれを防止するために、特開平９−５９８０４号公報は、かかと部の内面に滑り止め部材を逢着した浅履き靴下（以下「従来の浅履き靴下」という。）を提供している。
【先行技術文献】
【特許文献】
【０００６】
【特許文献１】特開平９−５９８０４号公報
【考案の概要】
【考案が解決しようとする課題】
【０００７】
しかるに、上記従来の浅履き靴下においては、かかと部内面の滑り止め部材により足のかかとの皮膚が擦れるという問題がある。
【０００８】
本考案は、従来の浅履き靴下におけるこのような問題を解決し、足のかかとの皮膚が擦れるという問題を生ずることなく、靴内においてずれが生ずることのないようにした浅履き靴下を提供しようとしてなされたものである。
【課題を解決するための手段】
【０００９】
上記課題を解決するために、本考案は下記の浅履き靴下を提供するものである。
【００１０】
（１）浅履き靴下のかかと部外面には人の足首に取り外し自在に環装する環状部材を取り付けたことを特徴とする浅履き靴下（請求項１）。
【００１１】
（２）前記環状部材は帯状体の略中央部を前記かかと部外面に固定し、該帯状体の各端を面ファスナーにより分離自在に連結してなる（請求項２）。
【００１２】
（３）前記環状部材の前部には装飾物を取り付ける（請求項３）。
【考案の効果】
【００１３】
［請求項１の考案］
本考案による浅履き靴下を使用する際には、使用者は足を環状部材内に挿通させて浅履き靴下を履いた状態で、短靴を履用する。しかるときは、浅履き靴下のかかと部外面に取り付けられた環状部材が足首に環装されているため、浅履き靴下のかかと部が短靴内でつま先方向にずれて足のかかとが靴内で露出することが防止される。換言すれば、短靴内で浅履き靴下がずれるおそれはない。また、足首に環装されている環状部材により足首の皮膚が擦れるおそれもない。
【００１４】
［請求項２の考案］
前記環状部材は帯状体の略中央部を前記かかと部外面に固定し、該帯状体の各端を面ファスナーにより分離自在に連結してなるものであるため、該環状部材を足首に取り付け、取り外す作業は極めて容易である。
【００１５】
［請求項３の考案］
前記環状部材の前部には装飾物を取り付けているため、該装飾物は使用者の足首を好ましく飾ることができる。  
【図面の簡単な説明】
【００１６】
【図１】図１は、浅履き靴下を着用して短靴を履用した状態を示す側面図である。
【図２】図２は、浅履き靴下の側面図である。
【図３】図３は、浅履き靴下の平面図である。
【図４】図４は、環状部材の平面図である。
【図５】図５は、環状部材の前部に装飾物を取り付けた状態を示す正面図である。
【考案を実施するための形態】
【００１７】
符号１に示すものは浅履き靴下である。浅履き靴下１は、前述の如く、図１に示すように、これを着用した状態で短靴３を履用したときに、上縁１ａが該短靴３より上方に露出しないように浅船状に形成された靴下である。
【００１８】
浅履き靴下１のかかと部１ｂ外面には人の足首５に取り外し自在に環装する環状部材７を取り付ける。
【００１９】
環状部材７は、例えばゴムひも、ゴムバンド、布等により形成する。
【００２０】
環状部材７は、一例として、図３に示すように、帯状体９の略中央部９ａを前記かかと部１ｂ外面に固定し、該帯状体９の各端９ｂ、９ｃを面ファスナー１１ａ、１１ｂにより分離自在に連結してなるものである。
【００２１】
前記環状部材７の前部７ａには、一例として、装飾物１３を取り付ける。装飾物１３は、いかなるものであってもよいが、例えば、蝶、花、ハート等の形状を備えたもの、リボン等とする。
【符号の説明】
【００２２】
１  浅履き靴下
１ａ  上縁
１ｂ  かかと部
３  短靴
５  足首
７  環状部材
７ａ  前部
９  帯状体
９ａ  略中央部
９ｂ  端
９ｃ  端
１１ａ  面ファスナー
１１ｂ  面ファスナー
１３  装飾物
【図１】
0003194010.tif 000003
【図２】
0003194010.tif 000004
【図３】
0003194010.tif 000005
【図４】
0003194010.tif 000006
【図５】
0003194010.tif 000007
(57)【要約】      （修正有）【課題】術後の猫の日常生活を妨げずに、術後の患部保護を行うことができる猫用術後服を提供する。【解決手段】猫の開腹手術等の縫合部を保護する為、腹部には通気性の良いガーゼ生地を用い、上下運動をする猫の体型に合わせ、首元と背部には伸縮する素材を用い、柔軟性のある猫が体を折り曲げ腹部を容易に舐め、縫合部を開いてしまうことを阻止する為、足ぐりにゴムを入れ体と服との隙間を塞ぎ、足ぐりから鼻先を入れてしまわない様に、また、このゴムによる伸縮性と背部に伸縮する素材を用いたことで、様々な体型の猫の体に合うようにした。【選択図】図１
0003194079.tif 000002
【実用新案登録請求の範囲】
【請求項１】
開腹手術等の縫合部を保護するため、腹部には通気性の良いガーゼ生地を用い、上下運動をする猫の体系に合わせ、首元と背部に伸縮する素材を用いた。柔軟性のある猫は、体を折り曲げ腹部を容易に舐め、縫合部を開いてしまうため、足ぐりにゴムを入れ体と服との隙間を塞ぎ、足ぐりから鼻先を入れてしまわない様に、また、このゴムによる伸縮性と背部に伸縮する素材を用いたことで、様々な体系の猫の体に合うようにしたことを特徴とする、猫用術後服。
【考案の詳細な説明】
【技術分野】
【０００１】
本考案は、手術後の猫が着用する縫合部保護のための衣類に関するものである。
【背景技術】
【０００２】
術後の猫の患部保護には、エリザベスカラーが用いられてきたが、猫の動きを妨げ、食事や排せつが不便であった。また、ペット用としての保護服が普及しているが、平面運動をする犬と上下運動をする猫とでは骨格が異なり、犬猫兼用のペット服として用意されている物では、猫には負担やストレスがかかっていた。
【考案の概要】
【考案が解決しようとする課題】
【０００３】
猫の動きの妨げとならない形状で術後の患部を保護し、猫の日常生活を円滑にしストレス軽減すること。
【課題を解決するための手段】
【０００４】
本考案は、開腹手術等を受けた腹部にある縫合部を守るため、腹部には通気性の良いガーゼ素材を、猫の動きの特徴である上下運動を円滑にするため背面と足ぐりに伸縮する素材を用いた。これにより、食事や排泄の妨げにならずに患部を保護することを可能にした。また、柔軟性のある猫は腹部の縫合部を自分の口で開いてしまうこともあるため、足ぐりには伸縮性のあるゴム素材を用い、腹部と服の間に隙間ができない様設計し、術後の猫の体調を考慮し服の着脱を簡易化するために、背面の腰部分に面ファスナーの開閉部を設けた衣類である。
【考案の効果】
【０００５】
この猫用術後服によって、エリザベスカラーのように首回りに大きな素材をまいている状態では通ることのできなかった狭い場所へも侵入できるようになったことで、術後体力の落ちている猫が暗くて静かな場所に身を隠すことが可能となり、ストレスを緩和できるようになった。衣類を着たままの動作にも支障もなくなり、食事や排せつ等の日常生活に不便を生じなくなるだけでなく、通気性の良い素材で患部を保護することができ、術後の回復を補助できるようになった。
【図面の簡単な説明】
【０００６】
【図１】猫用術後服の背面
【図２】猫用術後服の腹部面
【図３】猫が着用した際の背面
【図４】猫が着用した際の腹部面
【符号の説明】
【０００７】
1  襟  ニット素材
2  背中身頃  ニット素材
3  左袖ぐり
4  右袖ぐり
5  開閉部  面ファスナー使用
6  足ぐり  ゴムテープ使用
7  排泄用穴
8  前身頃  ガーゼ素材使用
【図１】
0003194079.tif 000003
【図２】
0003194079.tif 000004
【図３】
0003194079.tif 000005
【図４】
0003194079.tif 000006
【手続補正書】
【提出日】平成26年8月29日(2014.8.29)
【手続補正１】
【補正対象書類名】実用新案登録請求の範囲
【補正対象項目名】全文
【補正方法】変更
【補正の内容】
【実用新案登録請求の範囲】
【請求項１】
猫の開腹手術等の縫合部を保護する為、腹部には通気性の良いガーゼ生地を用い、上下運動をする猫の体型に合わせ、首元と背部には伸縮する素材を用い、柔軟性のある猫が体を折り曲げ腹部を容易に舐め、縫合部を開いてしまうことを阻止する為、足ぐりにゴムを入れ体と服との隙間を塞ぎ、足ぐりから鼻先を入れてしまわない様に、また、このゴムによる伸縮性と背部に伸縮する素材を用いたことで、様々な体型の猫の体に合うようにした、猫用術後服。
(57)【要約】      （修正有）【課題】血糖値抑制や胃腸内の消化機能を活発化させる成分のイヌリンや食物繊維を多く含有する菊芋は粘度が高く、食品に加工しにくい芋をいつでも容易に、そして安価に食することができ健康増進に役立てる菊芋の固形菓子を提供する。【解決手段】菊芋の素材のもつ短時間で軟化、変色する欠点を迅速なる方法で洗浄２、スライス３、乾燥４、粗粉砕５を行い、極少量の水分と調味料を加えた原料を型入れして圧縮成型を行う。【選択図】図１
0003194080.tif 000002
【実用新案登録請求の範囲】
【請求項１】
血糖値抑制のイヌリンや腸内消化機能を活発化させる薬効成分の多い菊芋の含有率を９０％以上とすることと水分を減らし長期保存を可能とすることを特徴とする菊芋の固形菓子。
【考案の詳細な説明】
【技術分野】
【０００１】本考案は、健康に非常に効果のある菊芋を固形菓子として容易にいつでも食せるようにしたものである。
【背景技術】
【０００２】菊芋は、畑から掘り出した瞬間から変色、軟化が進むため、早急に商品化できるパウダー、チップ、ティバックが主流であった。また、菓子類は生産されているが菊芋の混入量が非常に少量であった。尚、錠剤や飲料はあるが、特殊加工を要するためコスト高となる欠点があった。
【考案の概要】
【考案が解決しようとする課題】
【０００３】そこで健康に効果のある菊芋の量を増量し、手軽に食せる菓子とすることを課題とした。
【課題を解決するための手段】
【０００４】本考案は、菊芋のもつ短時間で軟化、変色する欠点に対し、迅速なる方法で洗浄、乾燥、スライス、粗砕を行い、極少量の水分を添加し、調味料等を練りこんだ原料を型入れして圧縮成型することで課題を解決した。
【考案の効果】
【０００５】上記の方法の工程を行うことによって、従来の菊芋に含まれる菊芋の量を増量することができる。菊芋に含まれるイヌリンは血糖値抑制に効果があり、多く含まれている食物繊維は整腸作用に効果があり、健康食品となる。このように構成することによって、この考案の菊芋菓子は薬功効果のある菊芋９０％以上とすることと水分量を減らすことにより長期保存が可能である。
【考案を実施するための形態】
【０００６】以下、  図面を参照してこの考案の実施例について説明する。
菊芋は短時間で軟化、変色するので１芋の掘り出しから８の固形菓子に仕上げるまでを各々の機械を使用して短時間で行う。（第１図参照）
【図面の簡単な説明】
【０００７】
【図１】本考案の菊芋の固形菓子の製造方法の実施を示す製造工程図である。符号１から８にしたがって順次作業を行い菊芋の固形菓子を仕上げる。符号  １  芋の掘り出し  ２  洗浄  ３  スライス  ４  乾燥  ５  粗粉砕  ６  加湿・成型  ７  加熱  ８  焼き成型・固形菓子
【図１】
0003194080.tif 000003